(57)【要約】  内部分あるいは内パック（１５）と外パック（１４）とを具備する（シガレット）パックが、開位置へ移動可能であり、この開位置において、外パック（１４）の部分パック（２７、２８）が、揺動によって拡開位置に移行されている。外パック（１４）あるいはその部分パック（２７）は、ヒンジプレート（４０）を介して内パック（１５）あるいは内部分に結合されており、このヒンジプレート全体は、内前壁（３１）の、あるいは内部分の領域内に形成されている。ヒンジプレート（４０）は、その外側が外パック（１４）の内側に固定されている。
2009542541.tif 000002
【特許請求の範囲】
【請求項１】
２つのパック部分、すなわち、少なくとも１つの外前壁（１６）を具備する外パック（１４）と、少なくとも１つの前壁（３１、５７）を具備する内パック（１５）又は内部分（５６）とから成るパックであって、前記内パックが、前記前壁（３１、５７）に設けられた結合プレートあるいはヒンジプレート（４０；５４、５５）によって前記外パック（１４）の前記外前壁（１６）に結合されており、前記外パック（１４）が、揺動可能に互いに結合された２つの部分パック（２７、２８）から成り、該部分パックの開位置が前記ヒンジプレート（４０；５４、５５）によって画定されているパックにおいて、
前記結合プレートあるいはヒンジプレート（４０；５４、５５）が、前記内前壁（３１）あるいはカラー前壁（５７）の一部分としてほぼＵ字形の打ち抜き部（４１、４２）によって形成されており、前記ヒンジプレートの、前記パックの上面側あるいは上端壁側を向いた自由な縁部が、あるいは、縁側のセグメント（４７）が、内側において特に接着によって前記外前壁（１６）に固定されていることを特徴とするパック。
【請求項２】
前記ヒンジプレート（４０；５４、５５）が、２つの側方の打ち抜き辺（４１）と横方向打ち抜き部（４２）とによって画定されており、該横方向打ち抜き部（４２）が、当該パックの上端面側を、あるいは、前記内パック（１５）又は前記内部分（５６）のカラー端部（３７）側を向いていることを特徴とする請求項１に記載のパック。
【請求項３】
前記ヒンジプレート（４０；５４、５５）が、横向きの、互いに間隔をおいて配置された２本のヒンジライン（４４、４５）によって、互いに対して揺動可能な２つのセグメント（４６、４７）に区分されており、該セグメントのうちの縁側のセグメント（４７）が、前記外前壁（１６）の内側に結合されていることを特徴とする請求項１または２に記載のパック。
【請求項４】
前記ヒンジプレート（４０）が、前記内パック（１５）の前記内前壁（３１）の全幅にわたって延在しており、前記カラー端部（３７）側を向いた領域において、側方の折り曲げタブ、すなわち内サイドタブ（３５）に結合された横方向ブリッジ（４３）によって画定されていることを特徴とする請求項１〜３のいずれか一つに記載のパック。
【請求項５】
前記内パック（１５）が、パック内容物、特にシガレットブロック（１３）をほぼ完全に包囲するブランクから成り、特にカップ状パックの様式であって、好ましくは、上端壁の領域と、隣接する前記前壁及び側壁の領域とに、露出する開口部を形成することを特徴とする請求項１〜４のいずれか一つに記載のパック。
【請求項６】
前記外パック（１４）と内パック（１５）とが、特に外後壁（１８）と内後壁（３３）との領域において接着によって互いに結合されており、その際、接着結合部（３９）が、一方では前記上端壁（２０）に隣接する領域に設けられ、他方では前記底壁（１７）に隣接する領域に設けられていることを特徴とする請求項１〜５のいずれか一つに記載のパック。
【請求項７】
前記外パック（１４）が、前記外後壁（１８）の領域に、切り取り線によって画定されたフラップ（４９）を有し、かつ、前記内パック（１５）の前記隣接する内後壁（３３）に、少なくとも前記フラップ（４９）の領域において、印刷が施されていることを特徴とする請求項１〜６のいずれか一つに記載のパック。
【請求項８】
前記外パック（１４）あるいはそのブランクが、上端壁（２０）の領域に、該上端壁に対して側方に続くサイドエッジタブ（２４）を有し、該サイドエッジタブが、隣接する外サイドタブ（２２）に結合されていること、及び、前記外後壁（１８）に続く外サイドタブ（２３）が上端エッジタブ（２５）を有し、該上端エッジタブが、当該パックの、又は部分パック（２８）の上端面の領域に延在する内タブ（１９）に結合されていることを特徴とする請求項１〜７のいずれか一つに記載のパック。
【請求項９】
前記内パック（１５）あるいはそのブランクが、内前壁（３１）の領域に、側方の内サイドタブ（３５）を有し、該内サイドタブが、傾斜した波形の稜線によって画定された突出部（３８）を具備すること、及び、前記内後壁（３３）に結合された内サイドタブ（３６）が、対応する形状の凹部（６２）を有し、これにより、連続する包装材料ウェブから前記内パック（１５）用のブランクを切断屑なしに切り取り可能であることを特徴とする請求項１〜８のいずれか一つに記載のパック。
【請求項１０】
前記ヒンジプレート（５４、５５）が、カラー状の内部分（５６）の前壁（５７）領域に配置されており、該内部分が、前記ヒンジプレート（５４、５５）を介して前記外前壁（１６）に結合されていることを特徴とする請求項１〜９のいずれか一つに記載のパック。
【請求項１１】
前記内前壁（３１）、特に前記内部分（５６）の前記カラー前壁（５７）が、２つの並列に位置する、好ましくは同一の構成を有するヒンジプレート（５４、５５）を有し、これらのヒンジプレートの両方が、前記外パック（１４）の前記外前壁（１６）に結合されていることを特徴とする請求項１〜１０のいずれか一つに記載のパック。
【請求項１２】
前記並列に位置するヒンジプレート（５４、５５）の間に、長手方向ブリッジ（６１）が形成されていることを特徴とする請求項１〜１１のいずれか一つに記載のパック。
【請求項１３】
前記カラー状の内部分（５６）が、カラーサイドタブ（５８）の領域において前記外パック（１４）の前記底壁（１７）に至るまで延在しており、特に縁側の支持突出部（５９）によって前記底壁上に支持されていることを特徴とする請求項１０〜１２のいずれか一つに記載のパック。
【発明の詳細な説明】
【技術分野】
【０００１】
本発明は、２つのパック部分、すなわち、少なくとも１つの前壁、すなわち外前壁を具備する外パックと、少なくとも１つの前壁を具備する内部分とから成るパックであって、内部分の内壁が、内壁に設けられた結合プレートあるいはヒンジプレートによって外前壁の内側に結合されており、外パックの部分、すなわち部分パックが、底部側のヒンジを中心にして、開位置及び閉位置へ互いに対して相対的に揺動可能であるパックに関する。
【背景技術】
【０００２】
揺動可能に結合された２つの部分パックを具備するシガレットパックは、特許文献１によって公知である。これらの両部分パックは、共通の底壁の領域において揺動可能に互いに結合されている。開位置において、両部分パックは、拡開位置に配置されている。これらの部分パックは、合わさって外パックを形成する。外パックは、外前壁の領域においてパックの内部分、すなわち変形されたカラー部に結合されている。外パックは、結合プレートあるいはヒンジプレートを有し、このプレートは、カラー前壁の一部分あるいは延長部としてカラー部の下縁に形成されている。ヒンジプレートを動作ポジションへ移すためには、この延長部をカラー前壁へ折り畳む必要がある。ヒンジプレートがこの位置にあるときに上方を向いた縁帯部は、外パックの内側に接着によって結合されている。
【先行技術文献】
【特許文献】
【０００３】
【特許文献１】国際公開第２００６/０６１５６３号パンフレット
【発明の概要】
【発明が解決しようとする課題】
【０００４】
本発明の目的は、特にシガレット用の前述の構成のパックを、広く普及している包装機で製造することが可能であるように、さらに発展させることである。従って、本発明の根底をなす課題は、外パック用および／または内部分用のブランクを包装機に適合するように構成することである。
【課題を解決するための手段】
【０００５】
この課題を解決するために、本発明に係るパックは、ヒンジプレートあるいは結合プレートが、内パック又は内部分の（内）前壁の一部分として、ほぼＵ字形の打ち抜き部によって形成されており、パックの上面あるいは上端壁の方を向いた、終端側の自由なセグメントの外側が、外前壁の内側に特に接着によって固定されていることを特徴とする。
【発明の効果】
【０００６】
従って、本発明では、結合プレートあるいはヒンジプレートの配置及び構成に基づいて、パックの製造時に中間ステップとしてこのプレート又は一部分を折り畳むことが回避される。その代わりに、本発明では、内パック又は別個の内部分が、第１の作業ステップにおいて製造され、パックの内容物、すなわちシガレットブロックに装着されるか、あるいは、その周囲に折り畳まれる。形成されたこの内部ユニットは、第２の作業ステップにおいて、外パックのブランクによって包み込まれる。これらの包装ステップは、実質的に従来の構成の、互いに連続する、あるいは、互いに接続されている折り曲げタレットで実施されるのが有利である。結合手段、すなわち接着剤は、ヒンジプレートの外面に施されており、これにより、外パック用のブランクの折り曲げ時に、外パックは、作業ステップを追加することなく、ヒンジプレートに結合される。
【０００７】
本発明のもう１つの独自性は、内パックがパック内容物を少なくとも前面領域、後面領域及び底面領域において包囲し、好ましくは、さらにまた、重なり合う別の内サイドタブから成る側壁を有することにある。内パックはほぼカップ状に構成されており、その内前壁は、上部領域が、蓋付きボックスタイプのパックの（通常の）カラー部として機能するのが好ましい。内パックと外パックとは、後壁の領域、すなわち内後壁と外後壁の領域において、互いに結合されており、特に、上方の端面側及び下方の底面側の領域において接着によって結合されている。外底壁の、後壁側の横稜線は、外パックの部分パックを揺動するための線形ヒンジを形成する。
【０００８】
本発明の別の独自性は、内パックではなく、内部分がカラー状に構成されており、この内部分に、好ましくは、並置された２つの結合プレートあるいはヒンジプレートが備えられていることである。これらの結合プレートあるいはヒンジプレートの間の中央に、この内部分の、あるいはカラー部の前壁を安定させるためにブリッジが形成されている。
【０００９】
本発明の他の特徴及び独自性については、以下において、図面を参照しながら詳述する。
【図面の簡単な説明】
【００１０】
【図１】外パック用のブランクを開いた状態を示す。
【図２】内パック用のブランクを開いた状態を示す。
【図３】図２のブランクの細部ＩＩＩを拡大して示す。
【図４】パック内容物が供給されて、完成した内パックを示す斜視図である。
【図５】完成したパック（全体）を示す斜視図である。
【図６】図５のパックの別の細部（折り曲げタブ）を示す図である。
【図７】図５に示された、完成し、閉じられたパックについて、図５の切断面ＶＩＩ−ＶＩＩに沿った長手方向断面を拡大して示した図である。
【図８】図７に示されたパックの、複数の開段階あるいは閉段階を示す。
【図９】パック全体の背面を示す斜視図である。
【図１０】図９のパックの背面フラップを開いた状態を示す。
【図１１】パックの別の実施例に関する内部分用のブランクを示す。
【図１２】図１１に示された内部分を具備するシガレットブロックの斜視図である。
【図１３】図１１に示された内部分を具備するパックを示す、図５と同様の図である。
【図１４】図１３に示されたパックを示す、図６と同様の図である。
【図１５】図１３に示されたパックについて、図１３の切断面ＸＶ−ＸＶに沿った長手方向断面を拡大して示した図である。
【図１６】このパックの諸開段階及び閉段階を示す、図１５と同様の図である。
【図１７】図１から図１０に示された構成のパックについて、開いた状態を示す斜視図であり、図８に対応する切断面が示されている。
【図１８】図１１から図１６に係る実施例に関する、図１７と同様の図であり、図１６に対応する切断面が示されている。
【図１９】開いた位置において外前壁の方を見た斜視図である。
【発明を実施するための形態】
【００１１】
実施例として示された直方体のパックは、パック内容物としてシガレット１０を収容するために用いられる。通例、シガレット１０は、シガレット群１１として束ねられており、紙、錫箔などから成るインナブランク１２によって包囲されて、シガレットブロック１３を形成する。
【００１２】
シガレットブロック１３を収容するためのパックは、少なくとも２つのパック部分、すなわち内部分と外部分とから成る。外部分は、パック内容物を広範に包囲する外パック１４として構成されている。図１から図１０に係る実施例の場合、内部分は、内パック１５として構成されており、部分的又は全体的に外パック１４によって包囲されている。
【００１３】
図１は、外パック１４用のブランクを開いた状態を示し、外前壁１６、それに隣接する外底壁１７及び外後壁１８のための各領域が長手方向に続いている。外後壁１８の自由端には、内タブ１９が設けられており、それに対向して外前壁１６に上端壁２０が設けられている。外前壁１６と外後壁１８との両側には、さらに折り曲げタブ、すなわち外サイドタブ２２、２３が設けられており、これらのタブは、パックの閉位置において合わさって、互いに対向する狭側面に外パック１４の外側壁２１を形成する。しかし、相互に割り付けられた外サイドタブ２２、２３同士は、接着によって互いに結合されてはおらず、互いに対して自由に相対移動可能である。
【００１４】
上端壁２０には、サイドエッジタブ２４が設けられている。それに対向して、上端エッジタブ２５が外サイドタブ２３の延長部分に設けられている。さらに、底部エッジタブ２６が外底壁１７の延長部分に設けられている。
【００１５】
図１のブランクから形成された外パック１４は、２つの部分パック２７、２８から成る。正面側の部分パック２７は、実質的に外前壁１６、（横方向に折り曲げられた）外サイドタブ２２、同様に横方向に折り曲げられた上端壁２０、及び、外サイドタブ２２の内側に接しているサイドエッジタブ２４から成る。これらは、箱状の部分パック２７を形成する際には外サイドタブ２２に結合されている。同様に、底部エッジタブ２６も、内側が外サイドタブ２２に結合されており、従って、正面側の部分パック２７の一部分である。従って、後側の部分パック２８は、外後壁１８、折り曲げられた外サイトタブ２３、横向きの内タブ１９及び上端エッジタブ２５から成る。上端エッジタブは、内側が内タブ１９に接着によって結合されている。外底壁１７は、ヒンジを介して、すなわち、横向きの底端部２９を介して部分パック２８に結合されている。従って、両部分パック２７、２８は、この底端部２９を中心にして互いに対して揺動可能である（図８）。
【００１６】
外パック１４、特に正面側の部分パック２７は、内部分と協働する。この内部分は、図１から図１０に係る実施例の場合、内パック１５として構成されており、例えば、図２に示されたブランクを用いて構成されている。このブランクは、パック内容物、すなわちシガレット群１１あるいはシガレットブロック１３が、内パック１５によって広範に、すなわち上部正面及び上端面の領域を除いて囲繞されている。内パック１５のブランクは、内前壁３１、長手方向に隣接する内底壁３２及びそれに続く内後壁３３から成る。内パック１５の内側壁３４は、内前壁３１と内後壁３３との側方に設けられた折り曲げタブ、すなわち内サイドタブ３５と内サイドタブ３６とから成る。これらのサイドタブは、内側壁３４を形成する際には互いに重なり合い、互いに結合されている。前壁３１のサイドタブ３５は外側に位置する。
【００１７】
内パック１５は、ブランクの形状に基づいて、カップ状パック（硬質カップ）として構成されている。内後壁３３は、（ほぼ）パック全高あるいはパック内容物の全高にわたって延在する。内前壁３１の寸法及び形状は、内サイドタブ３５を含めて、蓋付きボックスタイプのパックの場合に通常であるカラー部と同じように構成されている。これには、下方に後退した横向きのカラー端部３７も含まれる。さらに、内サイドタブ３５には、先細に構成された突出部３８が備えられており、この突出部は、内側壁３４の領域において内前壁３１から内後壁３３までの移行部を形成する。波形の端部によって画定された突出部３８に合わせて、内サイドタブ３６の終端には、凹部６２が対向して設けられている。この凹部は、形状及び大きさが突出部３８に一致する。また、カラー端部３７の輪郭も、内後壁３３の対向側に一致するように設けられており、これにより、内パック１５用のブランクは、連続する材料ウェブから図２に示されたブランク幅にわたって全体を切断屑なしに切り取ることができる。
【００１８】
内パック１５は、図１と図２とに示された各ブランクを適合させる際、外パック１４に対する（ブロック状の）パック内容物となる。内パック１５は、外パック１４の中に完全に収容される。さらに、両パック１４、１５は、互いに結合されており、しかも、後方のパック領域、すなわち外後壁１８と内後壁３３との間において接着結合部３９を介して結合されている。この接着結合部３９は、一方では、上方の端面側領域に、もう一方では下方の底面側領域に設けられている。パックが開いた状態、すなわち、部分パック２７が引き上げられた状態において、パック内容物は、上方の端面側及び正面側の領域に露出しており、シガレット１０を取り出すことができる（図８）。
【００１９】
パックの開位置、すなわち部分パック２７、２８の拡開位置は、画定されており、しかも、内パック１５と外パック１４との間の結合部材としての保持プレートあるいはヒンジプレート４０によって画定されている。ヒンジプレート４０は、内パック１５において、内前壁３１の領域、あるいは内前壁の部分領域に設けられており、内側が外前壁１６に結合されている。
【００２０】
図１から図１０に係る実施例の場合、内サイドタブ３５と内前壁３１との間に形成された折り曲げ端部あるいはパック端部の領域に打ち抜き辺４１を有する適当なＵ字形の打ち抜き部に基づいて、ヒンジプレート４０は、前壁３１の全幅にわたって延在する。打ち抜き辺４１は、ほぼ内前壁３１の中央領域に延び、内底壁３２から間隔をおいて終わる。横向きの弧状の打ち抜き部４２は、内前壁３１の上端面の境界線から、あるいはカラー端部３７から明らかに間隔をおいて延び、横方向ブリッジ４３を形成する。
【００２１】
ヒンジプレート４０は、２つの平行なヒンジライン４４、４５によって２つのセグメント４６、４７に区分されている。外側にある終端側のセグメント４７は、外パック１４に結合されている。このセグメント４７は、全面が接着されることによって外前壁１６の内側に結合されているのが好ましい（図７、図８）。パックを開閉する際、すなわち部分パック２７が揺動する際、ヒンジプレートの寸法及び配置に基づいて、ヒンジプレート４０が特に有効に作用する。開移動の開始時に、ヒンジプレート４０は、内前壁３１内の初期位置から持ち上げられ、その際、セグメント４６、４７は、ヒンジ４４、４５によって互いに対して揺動する。中間位置（図８における一点鎖線）では、自由なセグメント４６は、幾何学的関係から弧状姿勢となり、これにより、弾性張力がヒンジプレート４０に蓄積される。この弾性張力は、まず、閉位置方向へ作用し、次に、「死点位置」を克服すると開方向へ作用する。これが達成されると、セグメント４６は、延伸姿勢になる（図８）。閉移動の場合、前記工程が逆順に行われる。
【００２２】
開工程を容易にするために、外パック１４には、外前壁１６の領域に、円形の開口部４８が設けられているのが好ましい。この開口部を通じて、指による作動力を内パック１５へ伝えることができる（図７、図８）。内パック１５の、すなわちその内前壁３１の開口部４８の領域には、印刷あるいは図形を施すことができ、この印刷あるいは図形は、横方向ブリッジ４３の円形の輪郭の領域に施されて、パックが閉じられている際に、外部から見ることができる。
【００２３】
別の独自性は、ヒンジプレート４０に関する打ち抜きの細部である。好ましくは平行な側方の打ち抜き辺４１は、横向きのヒンジライン４４を越えて延びる（図３）。これにより、ヒンジライン４４は、ヒンジプレート４０の揺動時に自由にかつ確実に機能する。ヒンジライン４４、４５は、型押しおよび／または打ち抜き部によって定めておくことができる。
【００２４】
さらに、独自性が、パックの背面の領域にも施されている。外後壁１８は、切り取り線によって画定されたフラップ４９を有する。このフラップは、外後壁１８の広い領域に延在してもよく、その際、揺動可能なフラップ４９のための、真っ直ぐな直線状のヒンジ５０が、パック背面における真っ直ぐなパック端部の領域に延在するのが好ましい。フラップ４９は、内パック１５の内後壁３３における図形５１および／または情報の印刷と協働する。フラップ４９を開くと、図形５１が見える。フラップ４９を再び閉じた際、舌部５２を内後壁３３のスリット５３の中へ挿入することができる。
【００２５】
図１１から図１９に係る実施例は、原則として、すなわち特にヒンジプレート５４、５５の配置及び作動形態に関しては、前述の実施例と同じように構成されている。外パック１４は、ほぼ変わりなく継承されているが、外後壁１８の領域にフラップ４９がない。その他の点については、図１に示されたブランクが、図１１から図１９に示された実施例の外パック１４に一致する。
【００２６】
この実施例では、ほぼ全体的な内パックを用いる代わりに、図１１に示された特殊な内部分５６が備えられている。この内部分は、その形状と機能とから、蓋付きボックスのカラー部とみなすことができ、すなわち、カラー前壁５７とカラーサイドタブ５８とから成る。このように構成されたブランクは、パック内容物、すなわちシガレットブロック１３の正面側に載置されており（図１２）、カラーサイドタブ５８は、シガレットブロック１３の側面に当接している。内部分５６のブランクあるいはカラーサイドタブ５８は、パックの底部まで延在しており、従って、パックが閉じられている場合、外底壁１７上に支持されている。カラーサイドタブ５８には、適当な縁側の支持突出部５９が設けられている。支持突出部５９に対向する側に、凹部６２が、カラーサイドタブ５８の領域において支持突出部５９と同じ形状及び大きさで存在する。また、横向きの上部のカラー端部６３が、カラー前壁５７の下方の境界線に一致し、従って、連続する材料ウェブからカラー前壁を切断屑なしに切り取ることができる。
【００２７】
カラー前壁５７の領域には、外パック１４との結合部材が設けられている。これは、２つの並置されているヒンジプレート５４、５５であり、ヒンジプレート４０の場合と同様に、Ｕ字形の打ち抜き部によって形成されており、ヒンジプレート４０の場合と同じように、残留結合部６０によってカラー前壁５７内に固定されている。残留結合部６０は、パックが最初に開けられる際に切り離される。また、各ヒンジプレート５４、５５は、ヒンジライン４４、４５によってセグメント４６、４７に区分されている。両ヒンジプレート５４、５５の終端側のセグメント４７は、（接着によって）外前壁１６の内側に結合されている（図１５、図１６）。カラーサイドタブ５８は、外サイドタブ２３の領域において、外パック１４に、すなわち背面側の部分パック２８に（接着によって）結合されている。
【００２８】
開閉工程は、前述の実施例の場合と同じように実施される。このことはまた、ヒンジプレート５４、５５あるいはセグメント４６の弾性作用についても当てはまる。両ヒンジプレート５４、５５は、好ましくは中央に位置する長手方向ブリッジ６１によって互いに分離されており、この長手方向ブリッジによって、特にパックの開閉時に比較的小さな面積の内部分５６の安定性が保証される。このブランク形状、特に図１１に示されたブランク形状のもう１つの独自性は、ヒンジライン４４に隣接する横方向ブリッジ６４が、比較的小幅であるにもかかわらず、長手方向ブリッジ６１によって安定することである。従って、長手方向の寸法が比較的小さなブランク５６、すなわち横方向ブリッジ６４が比較的細いブランクを製造することが可能である。十分な形状安定性が、上述の構造によって保証されていることに変わりはない。
【００２９】
上述のパックを製造する際、第１の折り曲げ機構、特に折り曲げタレットにおいて、内パック１５のブランクは、原則的に通常のやり方でパック内容物の周り、すなわちシガレットブロック１３の周りに折り曲げられると有利であり、これにより、中間製品として図４に示されたユニットが出来上がる。次に、第２の折り曲げ機構、特に折り曲げタレットにおいて、図１に示されたブランクを内パック１５の周囲に折り曲げることによって、外パック１４が装着される。外パック１４が製造される前に、ヒンジプレート４０あるいは５４、５５、すなわちそれらのセグメント４７におよび／または外前壁１６に接着剤が供給される。折り曲げプロセスの際、外前壁１６は、セグメント４７の接着箇所に当接し（又はその逆）、これにより、特別な措置を講ずることなく、ヒンジプレート４０、５４、５５と外パック１４との間の結合が生じることになる。パックあるいはパック部分のブランクは、蓋付きボックスの場合に通常見られるように、薄い板紙から成ると有利である。
【符号の説明】
【００３０】
１０  シガレット
１１  シガレット群
１２  インナブランク
１３  シガレットブロック
１４  外パック
１５  内パック
１６  外前壁
１７  外底壁
１８  外後壁
１９  内タブ
２０  上端壁
２１  外側壁
２２  外サイドタブ
２３  外サイドタブ
２４  サイドエッジタブ
２５  上端エッジタブ
２６  底部エッジタブ
２７  部分パック
２８  部分パック
２９  底端部
３０
３１  内前壁
３２  内底壁
３３  内後壁
３４  内側壁
３５  内サイドタブ
３６  内サイドタブ
３７  カラー端部
３８  突出部
３９  接着結合部
４０  ヒンジプレート
４１  打ち抜き辺
４２  横方向打ち抜き部
４３  横方向ブリッジ
４４  ヒンジライン
４５  ヒンジライン
４６  セグメント
４７  セグメント
４８  開口部
４９  フラップ
５０  ヒンジ
５１  図形
５２  舌部
５３  スリット
５４  ヒンジプレート
５５  ヒンジプレート
５６  内部分
５７  カラー前壁
５８  カラーサイドタブ
５９  支持突出部
６０  残留結合部
６１  長手方向ブリッジ
６２  凹部
６３  カラー端部
６４  横方向タブ
【図１−３】
2009542541.tif 000003
【図４】
2009542541.tif 000004
【図５】
2009542541.tif 000005
【図６】
2009542541.tif 000006
【図７】
2009542541.tif 000007
【図８】
2009542541.tif 000008
【図９】
2009542541.tif 000009
【図１０】
2009542541.tif 000010
【図１１】
2009542541.tif 000011
【図１２】
2009542541.tif 000012
【図１３】
2009542541.tif 000013
【図１４】
2009542541.tif 000014
【図１５】
2009542541.tif 000015
【図１６】
2009542541.tif 000016
【図１７】
2009542541.tif 000017
【図１８】
2009542541.tif 000018
【図１９】
2009542541.tif 000019
【国際調査報告】
2009542541.tif 000020
2009542541.tif 000021
2009542541.tif 000022
2009542541.tif 000023